(57)【要約】      （修正有）【課題】タンク不要で、コンパクトに折りたたんで持ち運びができ、汚泥水をタンクに貯めることなく連続濾過処理でき、かつフィルターを何回も再生使用することが出来る携帯型濾過器を提供する。【解決方法】投込み型の濾過機構と、濾過機構を真空吸引および空気加圧するポンプと、濾過機構とポンプを繋ぐホースからなる。濾過機構は、通水性ケースと、ケースの蓋と、ケースの中に収納される中空糸膜フィルターの集積体の組合せからなる。中空糸膜フィルターの集積体は、先端を封止し、他方を開放した複数の中空糸膜フィルターの開放側を互いに気密に束ねて固定具に気密に固定してなると共に、固定具がケースの蓋の内面に着脱自在に気密に装着される構造であって、ケースの蓋と通水性ケースは、着脱自在に結合される。【選択図】図１
0003175524.tif 000002
【実用新案登録請求の範囲】
【請求項１】
浸漬あるいは投込み型の濾過機構と、該濾過機構を真空吸引および空気加圧するポンプと、該濾過機構と該ポンプを繋ぐホースの組合せからなる携帯型濾過器であって、該濾過機構は、通水性ケースと、該ケースの蓋と、該ケースの中に収納される中空糸膜フィルターの集積体の組合せからなり、該中空糸膜フィルターの集積体は、先端を封止し、他方を開放した複数の中空糸膜フィルターの開放側を互いに気密に束ねて固定具に気密に固定してなると共に、該固定具が該ケースの蓋の内面に着脱自在に気密に装着される構造であって、該ケースの蓋と該通水性ケースは、直接あるいは間接的に着脱自在に結合されてなる構造であって、該ケースの蓋の中の空間が、該ホースと着脱自在、気密に連結されてなる構造であることを特徴とする携帯型濾過器。
【請求項２】
前記ケースの蓋内面に固定具を気密装着した時に、前記ケース蓋内面と、前記ケース蓋内面に対向する前記固定具面との間に逆洗浄水を貯蔵する空間が形成される構造にしてなることを特徴とする請求項１に記載の携帯型濾過器。
【考案の詳細な説明】
【技術分野】
【０００１】
本考案は、携帯型濾過器の構造にかかわり、更に詳しくは、汚濁水を貯めるタンクは必要とせず、コンパクトに折りたたんで持ち運びができ、しかも多量の汚泥水でも連続して濾過処理でき、フィルターを何回も再生使用できる携帯型濾過器の構造に関するものである。
【背景技術】
【０００２】
簡便に持ち運びできる携帯型濾過器として、非常用簡易浄水器（特許文献１）、携帯用浄水器（特許文献２）が開示されている。
これら公知の特許文献１、特許文献２に記載された濾過器は、いずれも汚濁水をタンクの中に貯めて処理する構造であり、処理量はタンク容量に制限され、多量の汚泥の連続処理には不向きである上に、タンクの存在そのものが、濾過器のコンパクト化の障害となっている。また特許文献１、特許文献２ではフィルターを再生して使用することが出来ない欠点もある。
【０００３】
一方道路工事の現場、例えばアスファルト、コンクリート道路をカッターで切断したり、くりぬき工事の際、アスファルト、コンクリートの切断粉と水が混ざった汚泥水が排出される。あるいは建築物の解体工事でホコリ飛散のために散水する際に、泥の混ざった水が多量に排出される。これらは、そのまま放置することも捨てることも禁止されており、一旦汚泥を濾別して捨てることが義務付けられている。
そのためこれら土木工事で発生した汚濁水は、通常、タンクやポリ容器に集められ、それを濾過することが行われており、この場合も、タンクの存在が汚泥処理の効率化を阻害する要因となっている。またタンクの現地への搬送も大きな阻害要因である。
【先行技術文献】
【特許文献】
【０００４】
【特許文献１】特開平９−５７２４８号
【特許文献２】実用新案登録番号第２５０９５５９号
【考案の概要】
【考案が解決しようとする課題】
【０００５】
本考案は、かかる問題に鑑みてなされたもので、その目的は、タンク不要で、コンパクトに折りたたんで持ち運びができ、汚泥水をタンクに貯めることなく連続濾過処理でき、かつフィルターを何回も再生使用することが出来る携帯型濾過器を提供することにある。
【課題を解決するための手段】
【０００６】
前記した課題は下記の携帯型濾過器で解決することができる。
即ち、
浸漬あるいは投込み型の濾過機構と、該濾過機構を真空吸引および空気加圧するポンプと、該濾過機構と該ポンプを繋ぐホースの組合せからなる携帯型濾過器であって、該濾過機構は、通水性ケースと、該ケースの蓋と、該ケースの中に収納される中空糸膜フィルターの集積体の組合せからなり、該中空糸膜フィルターの集積体は、先端を封止し、他方を開放した複数の中空糸膜フィルターの開放側を互いに気密に束ねて固定具に気密に固定してなると共に、該固定具が該ケースの蓋の内面に着脱自在に気密に装着される構造であって、該ケースの蓋と該通水性ケースは、直接あるいは間接的に着脱自在に結合されてなる構造であって、該ケースの蓋の中の空間が、該ホースと着脱自在、気密に連結されてなる構造であることを特徴とする携帯型濾過器。
【０００７】
通水性ケースは中空糸膜フィルター集積体を保護するためのものであり、汚濁水が容易に出入りできて、適度の機械的強度のある構造であれば形状、材質に特別の制約は無い。
通水性ケースは、少なくとも、中空糸膜フィルター集積体の固定具あるいはケースの蓋、いずれかと着脱自在に取り付けられる構造にすればよい。
通水性ケースと中空糸膜フィルター集積体の間には、必ずしも気密性は必要ではない。
【０００８】
中空糸膜フィルター集積体の固定具とケースの蓋の内面は、着脱自在に気密に固定される構造にする必要がある。
例えば固定具の周囲にＯ−リングをはめ込み、ケースの蓋の内面にＯ−リングが気密に密接するような構造が好適である。そしてＯ−リング密接面が滑って抜けないように、ケースと固定具は機械的に固定する構造が好ましい。またケース蓋内面の空間はホースと気密に連結される必要がある。
【０００９】
ケース蓋内面の空間と中空糸膜フィルター集積体の開口部は気密に連通しているので、ホースにつながれたポンプを真空吸引あるいは空気加圧すると、中空糸膜フィルター集積体は真空吸引あるいは空気加圧されることになる。
真空吸引されると、汚濁水の吸引濾過がなされて、濾別残渣が中空糸膜フィルター表面に沈積して、ポンプの排出口から濾過された真水が排出されることになる。
【００１０】
濾過を継続すると濾別残渣が中空糸膜フィルター表面に沈積して目詰まりを起こして濾過性能が劣化してくる。このときポンプを切り替えて中空糸膜フィルターを空気加圧すると、沈着した濾別残渣が中空糸膜フィルター表面から離脱させられるので、振動を与えることで残渣をふるい落とすことが出来る。また同時に、前記したケースの蓋内面に固定具を気密装着した時に、前記ケース蓋内面と、前記ケース蓋内面に対向する前記固定具面との間に逆洗浄水を貯蔵する空間を形成しておくと、濾過過程で、この空間に真水が貯蔵されるので、ポンプを切り替えて中空糸膜フィルターを空気加圧すると、貯蔵された真水は逆洗浄水となって中空糸膜フィルター内面から外に押出されることになり、空気加圧によってフィルター表面から離脱させられた濾別残渣は、押出された水と一緒に外に排出されることになる。
【００１１】
空気加圧および真空吸引は、ポンプの吸気、排気口を切り替えることで、１台のポンプで適宜実施できるが、必要に応じて空気加圧用、真空吸引用ポンプとして別々のポンプを用い、ホースに三方弁を取り付けて適宜切り替えて使用する構造でもよい。
【考案の効果】
【００１２】
本考案は下記の効果を有する。
・  汚濁水を貯めるタンクが不要であり、汚染水のプールに濾過機構を投込んで連結したポンプで吸引することで、そのまま連続的に濾過することが出来る。
・  フィルターが目詰まりを起こしたとき、空気加圧するだけで、逆洗浄水がフィルター表面から染み出て濾別残渣を洗い流して除去、再生することが出来る。
・  コンパクトに折りたたんで携帯できる。
【図面の簡単な説明】
【００１３】
【図１】本考案の全体構造の説明図である。
【図２】中空糸膜フィルター集積体の構造を説明した図である。
【図３】中空糸膜フィルター集積体の固定具の断面構造を説明する図である。
【図４】中空糸膜フィルター集積体を通水性ケースと蓋の中に収納する構造
【考案を実施するための形態】
【００１４】
図１で、１は投込み型濾過機構、２、３はポンプで、投込み型濾過機構１とポンプはホースで繋がれている。
投込み型濾過機構１は、通水性ケース４とケースの蓋５の中に中空糸膜フィルター集積体が収納された構造になっている。
ポンプは目的別に２台繋がれている。また通水性ケース４の底は開放されている。
本考案の携帯型濾過器は、投込み型濾過機構１、ポンプ２、３、ホースの組合せからなるものである。
【００１５】
図２の中空糸膜フィルター集積体の構造を説明する。
中空糸膜フィルターの一方の端は固定されず自由端になっており、しかも汚濁水が中空糸膜の中に浸入しないように、自由端側１０は封止されている。
もう一方の端は開放されている。
開放側の中空糸膜フィルターは複数本束ねられて固定具１１に気密に固定されている。
固定具外周は気密性に優れ、剛性のある材料が必要である。
中空糸膜フィルターを気密に固定する手段としては、例えば図３に示す構造が好適である。
すなわち、中空糸膜フィルターを束ね、隣り合う中空糸膜フィルターの隙間を樹脂で気密に接着して所定の形状、寸法に加工したものを、固定具外周を形成するリング１８の中に嵌めこんで気密接合する構造等が好適である。
【００１６】
固定具１１の側面とケースの蓋５の内面は気密にシールする必要があるので、
固定具１１の側面に、図３に示したようにＯ−リング溝を形成して、Ｏ−リング１３を装着して、ケースの蓋５の内面にＯ−リング１３を密接させてシールする。
【００１７】
図４の中空糸膜フィルター集積体を通水性ケースと蓋の中に収納する構造について説明する。
図示したように、先ず中空糸膜フィルターの自由端側先端部を通水性ケース４の中に差し込み、通水性ケース４の端のネジ１２に固定具のネジ１２を合わせてねじ込んで固定する。
次に固定具にケースの蓋を被せて差し込む。
ケースの蓋内面がＯ−リングに接するところまで差込み、固定具１１のピン孔１４とケースのピン孔１４が合致したところでピンを差し込んで、蓋５が固定具から抜けないように固定して組立てが完成する。
このとき、固定具１１の端面（中空糸フィルター集積体が嵌めこまれた反対側の面）と蓋５の内面には空間が形成されており、濾過時、この空間に濾過した真水が貯蔵される。
蓋５に取り付けたニップル１６にホースを差し込むことで、ポンプと中空糸膜フィルター内面が気密に連通されることになる。
【００１８】
本考案を用いて汚濁水を濾過する方法について説明する。
先ず投込み型濾過機構１を汚濁水のプールの中にそのまま投込んで浸漬させる。
汚濁水は通水性ケースの通水孔６および開放された底から浸入してケースの中は汚濁水で満たされる。
ケースの中に差し込まれた中空糸膜フィルター先端部は封止されており、しかも中空糸膜フィルター開放部は固定具に気密に固定され、固定具はケース内面に気密に装着されているので、汚濁水が蓋の中に浸入することは無い。
図１の三方弁を、ポンプ３を閉止する位置にして、ポンプ２を作動させて真空吸引させる。
ケース４の中の汚濁水はケースの中の中空糸膜フィルター集積体８に吸引され、中空糸膜によって汚濁水の汚濁粒子が濾別されて、ポンプの濾過水排出口から真水が排出される。
前記固定具１１の端面と蓋５の内面に存在する空間には濾過された真水が貯蔵される。
【００１９】
濾過を継続すると、中空糸膜フィルターが目詰まりを起こしてくる。
このときは、三方弁を、ポンプ２を閉止する位置にして、ポンプ３を作動させて空気加圧すると、固定具１１の端面と蓋５の内面に存在する空間に貯められた真水が加圧されて中空糸膜フィルターの内面から外に押出され、このときフィルター表面に沈積した残渣は離脱させられて外に洗い流されることになる。いわゆる逆洗浄されることになる。
【００２０】
本例ではポンプは２台用いたが、１台のみにして、ポンプの吸気と排気口を切り替えることで、１台のみで済ませることも出来る。
【産業上の利用可能性】
【００２１】
道路工事、建築物の解体工事現場で多量に排出される汚濁水をタンクにためることなく、汚濁水を水溜りのまま連続して脱水濾過でき、濾過タンクが不要になる、また単に台数を増やすだけで大容量にも迅速自在に対応することが出来る。投げ込み型濾過機構１を並列にかつ縦横に組み合わせ、フレームで集合固定して浸漬する方法や、イカダを組んでそれに固定して大型タンクや湖水面に浮かべる等、色々な大容量に対応することができ、建設工事の迅速化、効率化とコスト低減に多大の貢献をなすものである。
【符号の説明】
【００２２】
１  投込み型濾過機構
２  ポンプ
３  ポンプ
４  通水性ケース
５  ケースの蓋
６  通水孔
７  三方弁
８  中空糸膜フィルター集積体
９  中空糸膜フィルター
１０  先端封止部
１１  固定具
１２  ネジ
１３  Ｏ−リング
１４  ピン孔
１５  Ｏ−リング溝
１６  ニップル
１７  中空糸膜フィルター開口部
１８  リング
１９  有機接着剤
【図１】
0003175524.tif 000003
【図２】
0003175524.tif 000004
【図３】
0003175524.tif 000005
【図４】
0003175524.tif 000006